(57)【要約】【課題】新たに簡易的な方法を使って、セキュリティ効果を高くすることを実現した電子機器を提供すること。【解決手段】電子機器１は、入力部１３と、操作パターンを検出する操作パターン検出部９５１と、解除パスワードを記憶するパスワード記憶部９４１と、解除操作パターンを記憶する操作パターン記憶部９４２と、入力部１３により入力されたパスワードが解除パスワードと一致するか否かを判定するパスワード判定部９５２と、操作パターン検出部９５１により検出された操作パターンが解除操作パターンと一致するか否かを判定する操作パターン判定部９５３と、入力部１３により入力されたパスワードが解除パスワードと一致すると判定され、且つ、操作パターン検出部９５１により検出された操作パターンが解除操作パターンと一致すると判定された場合に、所定の機能の実行を許可する実行制御部９５４と、を備える。【選択図】図１
2010152758.tif 000002
【特許請求の範囲】
【請求項１】
外部からの入力を受け付ける入力部と、
前記入力部に対する入力操作の際の操作パターンを検出する操作パターン検出部と、
所定の入力操作情報を記憶する入力記憶部と、
前記所定の入力操作情報に対応する所定の操作パターンを記憶する操作パターン記憶部と、
前記入力部に対する入力操作が前記所定の入力操作情報に基づいた入力操作と一致するか否かを判定する入力判定部と、
前記操作パターン検出部により検出された操作パターンが、前記所定の入力操作情報に対応した前記所定の操作パターンと一致するか否かを判定する操作パターン判定部と、
前記入力判定部による判定と、前記操作パターン判定部による判定と、に基づいて所定の機能を実行する実行制御部と、を備える電子機器。
【請求項２】
前記実行制御部が実行する所定の機能は、機能の使用制限の解除機能である、
ことを特徴とする請求項１に記載の電子機器。
【請求項３】
前記実行制御部は、前記入力判定部により、前記入力部に対する入力操作が前記所定の入力と一致すると判定され、且つ、前記操作パターン判定部により、前記操作パターン検出部により検出された操作パターンが前記所定の入力操作情報に対応した前記所定の操作パターンと一致すると判定された場合に、前記所定の機能を実行する、
ことを特徴とする請求項２に記載の電子機器。
【請求項４】
前記入力部は、パスワード入力を受け付け、
前記入力記憶部は、パスワードを記憶するパスワード記憶部である、
ことを特徴とする請求項２または３に記載の電子機器。
【請求項５】
前記操作パターン検出部は、前記入力部に対する入力操作に伴って行われる前記入力部に対する接触、近接及び押下の少なくとも一方のパターンからなる操作パターンを検出する、
ことを特徴とする請求項２から４のいずれかに記載の電子機器。
【請求項６】
前記操作パターン検出部は、前記入力部に対して行われる入力操作に伴う操作時間に基づく操作パターンを検出する、
ことを特徴とする請求項２から５のいずれかに記載の電子機器。
【請求項７】
前記操作パターン検出部は、前記入力部に対して行われる入力操作に伴う操作時間に基づく操作パターンのうち、前記入力部に対して入力操作が行われたタイミングを操作パターンとして検出する、
ことを特徴とする請求項６に記載の電子機器。
【請求項８】
前記操作パターン検出部により検出された操作パターンを累積記憶する累積記憶部と、
前記累積記憶部に累積記憶された操作パターンに基づいて、前記所定の操作パターンを作成するパターン作成部と、を更に備える請求項２から７のいずれかに記載の電子機器。
【発明の詳細な説明】
【技術分野】
【０００１】
本発明は、携帯電話等の電子機器に関する。
【背景技術】
【０００２】
近年、電子機器としての携帯電話機は、多機能化が進み、電話番号，メールアドレス等の個人情報が大量に蓄積できるだけではなく、インターネットアクセスによる商品取引及び金融操作にも利用されるようになっている。このため、携帯電話機においても、高いセキュリティ機能が求められるようになっている。従来、広く用いられてきたパスワード入力による認証では、パスワードが盗み見等により漏洩してしまうと、他人による本人へのなりすましが簡単に行えるという問題があった。そこで、指紋，虹彩及び静脈という生体情報を用いて認証を行う方法が注目されている。
【０００３】
例えば、携帯電話機が盗まれたときに、携帯電話事業者に連絡すれば、自動的にカメラで撮影したり、認証システムで生体情報を入手したりして、盗難時の悪用者を特定するという技術が提案されている（特許文献１参照）。また、予め設定された特定キーが押されたときのみ、電子マネー機能を使用可能にする、簡易的な電子マネー機能悪用防止対策案が提案されている（特許文献２参照）。
【特許文献１】特開２００１−２１７９２４号公報
【特許文献２】特開２００６−０８６７３８号公報
【発明の開示】
【発明が解決しようとする課題】
【０００４】
しかしながら、特許文献１に記載された技術では、携帯電話機にカメラや、新たな認証システムを搭載する必要があり、コストアップにつながる。また、携帯電話事業者に連絡しなければいけないという手間やタイムラグが発生してしまう。また、特許文献２に記載された技術では、簡易的だが、特定キーを押したときのみの条件なので、セキュリティ的にはまだまだ強固とは言い難い。
【０００５】
従って、本発明は、セキュリティ機能が向上された電子機器を提供することを目的とする。
【課題を解決するための手段】
【０００６】
本発明は、外部からの入力を受け付ける入力部と、前記入力部に対する入力操作の際の操作パターンを検出する操作パターン検出部と、所定の入力操作情報を記憶する入力記憶部と、前記所定の入力操作情報に対応する所定の操作パターンを記憶する操作パターン記憶部と、前記入力部に対する入力操作が前記所定の入力操作情報に基づいた入力操作と一致するか否かを判定する入力判定部と、前記操作パターン検出部により検出された操作パターンが、前記所定の入力操作情報に対応した前記所定の操作パターンと一致するか否かを判定する操作パターン判定部と、前記入力判定部による判定と、前記操作パターン判定部による判定と、に基づいて所定の機能を実行する実行制御部と、を備える電子機器に関する。
【０００７】
また、電子機器は、前記実行制御部が実行する所定の機能は、機能の使用制限の解除機能であることが好ましい。
【０００８】
また、電子機器は、前記実行制御部は、前記入力判定部により、前記入力部に対する入力操作が前記所定の入力と一致すると判定され、且つ、前記操作パターン判定部により、前記操作パターン検出部により検出された操作パターンが前記所定の入力操作情報に対応した前記所定の操作パターンと一致すると判定された場合に、前記所定の機能を実行することが好ましい。
【０００９】
また、電子機器は、前記入力部は、パスワード入力を受け付け、前記入力記憶部は、パスワードを記憶するパスワード記憶部であることが好ましい。
【００１０】
また、電子機器は、前記操作パターン検出部は、前記入力部に対する入力操作に伴って行われる前記入力部に対する接触、近接及び押下の少なくとも一方のパターンからなる操作パターンを検出することが好ましい。
【００１１】
また、電子機器は、前記操作パターン検出部は、前記入力部に対して行われる入力操作に伴う操作時間に基づく操作パターンを検出することが好ましい。
【００１２】
また、電子機器は、前記操作パターン検出部は、前記入力部に対して行われる入力操作に伴う操作時間に基づく操作パターンのうち、前記入力部に対して入力操作が行われたタイミングを操作パターンとして検出することが好ましい。
【００１３】
また、電子機器は、前記操作パターン検出部により検出された操作パターンを累積記憶する累積記憶部と、前記累積記憶部に累積記憶された操作パターンに基づいて、前記所定の操作パターンを作成するパターン作成部と、を更に備えることが好ましい。
【発明の効果】
【００１４】
本発明の電子機器によれば、セキュリティ機能を向上できる。
【発明を実施するための最良の形態】
【００１５】
以下、本発明を実施するための最良の形態の一例について、図面を参照しながら説明する。
＜第１実施形態＞
図１は、本発明の第１実施形態である携帯電話機１について、操作部側筐体２と表示部側筐体３とを開いた状態の正面図である。図２は、図１に示す携帯電話機１について、操作部側筐体２と表示部側筐体３とを閉じた状態の正面図である。
【００１６】
図１及び図２に示すように、本実施形態の携帯電話機１は、筐体としての操作部側筐体２と、表示部側筐体３と、を備える。本実施形態の携帯電話機１は、いわゆる回転式（リボルバ式）の携帯電話機１であり、操作部側筐体２と表示部側筐体３との重ね合せ方向に延びる回転軸４１を中心に一方の筐体を回転させることが可能である。つまり、操作部側筐体２の上端部と表示部側筐体３の下端部とは、回転軸４１を備える連結部４を介して、回転軸４１を中心に回転可能に連結される。
【００１７】
従って、本実施形態の携帯電話機１は、連結部４を介して連結された操作部側筐体２と表示部側筐体３とを相対的に動かすことが可能に構成される。詳述すると、携帯電話機１は、操作部側筐体２と表示部側筐体３とが開いた状態（開状態。図１参照）と、操作部側筐体２と表示部側筐体３とが閉じた状態（閉状態。図２参照）と、に変更可能に構成されている。閉状態とは、操作部側筐体２の前面２ａと表示部側筐体３の背面とが互いに重なり合う状態である。
【００１８】
図１及び図２に示すように、操作部側筐体２の外面は、前面２ａ側を形成するフロントケース２１及び背面側を形成するリアケース（図示せず）により構成される。操作部側筐体２は、前面２ａに操作面が設けられており、この操作面に操作部１１及びマイク１２が配置されている。
【００１９】
操作部１１は、入力部１３と、センサ部としてのタッチセンサ１４と、を備える。
入力部１３は、各種設定や電話帳機能やメール機能等の各種機能を作動させるための機能設定操作キー１３１と、電話番号の数字やメール等の文字等を入力するための入力操作キー１３２と、各種操作における決定や上下左右方向のスクロール等を行う決定操作キー１３３とにより構成される。
【００２０】
入力部１３を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２１】
タッチセンサ１４は、静電容量方式によって使用者の指が触れた位置を検知するタッチパネルにより構成されている。このタッチセンサ１４は、操作面において入力部１３及びマイク１２が配置されている領域を除く略全面に対応する位置に配置されている。
【００２２】
マイク１２は、携帯電話機１の使用者が通話時に発した音声を入力するために用いられる。マイク１２は、操作部側筐体２の長手方向における連結部４側と反対の外端部側に配置される。つまり、マイク１２は、携帯電話機１の開状態において一方の外端部側に配置される。
【００２３】
表示部側筐体３の外面は、前面３ａ側を形成するフロントケース３１及び背面側を形成するリアケース（図示せず）により構成される。表示部側筐体３は、フロントケース３１側に、各種情報を表示するための表示部３２と、通話の相手側の音声を出力する音声出力部としてのレシーバ３３とが露出するように配置されて構成される。
【００２４】
次に、図３を参照しながら、携帯電話機１の機能について説明する。
図３は、携帯電話機１の機能を示すブロック図である。
携帯電話機１は、操作部１１と、マイク１２と、メインアンテナ９０と、ＲＦ回路部９１と、表示制御部９２と、音声処理部９３と、タイマ９８と、メモリ９４と、ＣＰＵ９５と、電源部９６と、制御ＩＣ９７と、を操作部側筐体２に備え、表示部３２と、レシーバ３３と、ドライバＩＣ３４と、を表示部側筐体３に備えている。
【００２５】
操作部１１は、上述のように、入力部１３と、タッチセンサ１４と、を備える。
入力部１３は、この入力部１３を構成する機能設定操作キー１３１、入力操作キー１３２、及び決定操作キー１３３が押圧されることにより入力される入力信号をＣＰＵ９５に出力する。
タッチセンサ１４は、図示しない信号線を介して後述のＣＰＵ９５（後述の操作パターン検出部９５１）に接続されており、このタッチセンサ１４に導体としての指等が接触及び／又は近接された場合に生じる電圧の変化がＣＰＵ９５に出力される。
【００２６】
メインアンテナ９０は、無線通信部を構成する。このメインアンテナ９０は、所定の使用周波数帯（例えば、８００ＭＨｚ）で外部装置と通信を行う。メインアンテナ９０により行われる通信としては、音声通話や電子メールの送受信が挙げられる。
尚、本実施形態では、所定の使用周波数帯を８００ＭＨｚとしたが、異なる他の周波数帯であってもよい。また、メインアンテナ９０は、所定の使用周波数帯だけでなく、他の使用周波数帯（例えば、２ＧＨｚ）にも対応できるいわゆるデュアルバンド対応型による構成であってもよい。
【００２７】
ＲＦ回路部９１は、メインアンテナ９０によって受信した信号を復調処理し、処理後の信号をＣＰＵ９５に供給すると共に、ＣＰＵ９５から供給された信号を変調処理し、メインアンテナ９０を介して外部装置（基地局）に送信する。
【００２８】
表示制御部９２は、ＣＰＵ９５の制御に従って、入力された画像データに対して所定の画像処理を行うと共に、画像処理された画像データをドライバＩＣ３４に出力する。
ドライバＩＣ３４は、表示制御部９２から入力された画像データをフレームメモリに蓄えると共に、該フレームメモリに蓄えられた画像データを所定のタイミングで表示部３２に出力する。
表示部３２は、ドライバＩＣ３４から入力されたデータに基づいて、所定の文字や画像を表示する。
【００２９】
音声処理部９３は、ＣＰＵ９５の制御に従って、ＲＦ回路部９１から供給された信号に対して所定の音声処理を行うと共に、音声処理された信号をレシーバ３３に出力する。また、音声処理部９３は、ＣＰＵ９５の制御に従って、マイク１２から入力された信号に対して所定の処理をすると共に、処理された信号をＲＦ回路部９１に出力する。ＲＦ回路部９１は、音声処理部９３から入力された信号に所定の処理を行うと共に、処理された信号をメインアンテナ９０に出力する。
レシーバ３３は、音声処理部９３から供給された信号に基づいて外部に放音（出力）する。
【００３０】
タイマ９８は、操作部１１に対する所定の操作に対応して時間を計測する。具体的には、タイマ９８は、入力部１３を構成する所定のキーが押下された場合における押下時間や、複数のキーが順次押下された場合における一のキーの押下が解除されてから次のキーが押下されるまでの時間（間隔）等を計測する。タイマ９８により計測された時間の情報は、ＣＰＵ９５（後述の操作パターン検出部９５１）に出力される。
【００３１】
メモリ９４は、所定のデータを記憶する。具体的には、メモリ９４には、各種機能プログラムや通信時に利用されるアドレス情報等の他、後述する解除パスワードや解除操作パターン等が記憶される。
【００３２】
ＣＰＵ９５は、携帯電話機１の全体を制御する。ＣＰＵ９５は、ＲＦ回路部９１、表示制御部９２及び音声処理部９３等に対して所定の制御を行う。ＣＰＵ９５の具体的な構成については後述する。
【００３３】
電源部９６は、バッテリを備える。バッテリは、所定容量を有するリチウムイオン電池である。
制御ＩＣ９７は、電源部９６から供給される電源電圧を所定の電源電圧に変換し、変換後の電源電圧を携帯電話機１の各部（例えば、ＣＰＵ９５等）に供給する。
【００３４】
続いて、図４により、携帯電話機１におけるパスワード認証機能について説明する。図４は、携帯電話機１がパスワード認証機能を発揮するための構成を示す機能ブロック図である。
【００３５】
携帯電話機１は、図４に示すように、パスワード認証機能を発揮するための構成として、入力部１３及びタッチセンサ１４を有する操作部１１と、タイマ９８と、メモリ９４と、ＣＰＵ９５と、を備える。
【００３６】
メモリ９４は、パスワード記憶部９４１と、操作パターン記憶部９４２と、パターン記憶部としての累積記憶部９４３と、を備える。
パスワード記憶部９４１は、ＣＰＵ９５（後述の実行制御部９５４）に携帯電話機１の所定の機能の実行を許可させるための解除パスワードを記憶する。パスワード記憶部９４１には、例えば、４桁の数字が解除パスワードとして記憶される。尚、この解除パスワードは、ユーザが所定の操作により変更可能となっていてもよい。
【００３７】
操作パターン記憶部９４２は、ＣＰＵ９５（後述の実行制御部９５４）に携帯電話機１の所定の機能の実行を許可させるための解除操作パターンを記憶する。操作パターン記憶部９４２には、例えば、パスワードの入力を行う場合に、タッチセンサ１４に接触する指の動きの軌跡が記憶される。
【００３８】
累積記憶部９４３は、ＣＰＵ９５（後述の操作パターン検出部９５１）により検出された操作パターンを累積記憶する。即ち、累積記憶部９４３には、パスワードの入力操作に関連してタッチセンサ１４に接触した指の動きの軌跡の履歴が記憶される。
【００３９】
ＣＰＵ９５は、操作パターン検出部９５１と、パスワード判定部９５２と、操作パターン判定部９５３と、実行制御部９５４と、パターン作成部９５５と、を備える。
【００４０】
操作パターン検出部９５１は、入力部１３に対するパスワードの入力操作に関するパターンである操作パターンを検出する。具体的には、操作パターン検出部９５１は、タッチセンサ１４から出力される電圧の変化に基づいて、タッチセンサ１４における電圧が変化した位置のＸＹ座標データを検出すると共に、タイマ９８から時間情報を取得する。そして、操作パターン検出部９５１は、ＸＹ座標データ及び時間情報に基づいて操作パターンを検出する。つまり、操作パターン検出部９５１は、パスワードの入力を行う場合におけるタッチセンサ１４に接触する指の動きの軌跡を検出する。
【００４１】
パスワード判定部９５２は、入力部１３に対して入力されたパスワードがパスワード記憶部９４１に記憶されている解除パスワードと一致するか否かを判定する。
【００４２】
操作パターン判定部９５３は、操作パターン検出部９５１により検出された操作パターンが操作パターン記憶部９４２に記憶されている解除操作パターンと一致するか否かを判定する。ここで、操作パターン判定部９５３は、操作パターン検出部９５１により検出された操作パターンと操作パターン記憶部９４２に記憶されている解除操作パターンとが完全に一致している場合、及び両パターンが近似している場合に「一致する」と判定する。
【００４３】
実行制御部９５４は、携帯電話機１の所定の機能の実行を制御する。具体的には、実行制御部９５４は、パスワード判定部９５２により、入力部１３により入力されたパスワードが解除パスワードと一致すると判定され、且つ、操作パターン判定部９５３により、操作パターン検出部９５１により検出された操作パターンが解除操作パターンと一致すると判定された場合に、所定の機能の実行を許可する。
【００４４】
パターン作成部９５５は、累積記憶部９４３に累積記憶された操作パターンに基づいて、解除操作パターンを作成する。パターン作成部９５５は、パスワードの初期設定において操作パターン記憶部９４２に記憶された解除操作パターンを、所定回数パスワードの入力が行われるごとに更新する。即ち、パターン作成部９５５は、累積記憶部９４３に累積記憶された操作パターンの履歴に基づいて新たな解除操作パターンを作成し、この新たに作成した解除操作パターンを操作パターン記憶部９４２に記憶させる。
【００４５】
ここで、図５〜図７により、第１実施形態の携帯電話機１における（解除）パスワードや（解除）操作パターンの具体例について説明する。
図５は、解除操作パターン（指の動き）を説明する図である。図６は、操作パターン検出部９５１により検出された操作パターンが解除操作パターンと一致する場合における携帯電話機１の動作を説明する図である。図７は、操作パターン検出部９５１により検出された操作パターンが解除操作パターンと一致しない場合における携帯電話機１の動作を説明する図である。
【００４６】
図５〜図７に示すように、解除パスワードは、「５２９７」に設定されている。また、図５、図６に示すように、解除操作パターンは、経路が矢印Ａ、Ｂ、Ｃの順序であると共に、矢印Ａ及び矢印Ｂにおいてはタッチセンサ１４による接触（操作面を指でなぞる）が検出され、矢印Ｃにおいてはタッチセンサ１４による接触が検出されない、というように設定されている。
ここで、矢印Ａは、「５」から「２」への移動を示し、矢印Ｂは、「２」から「９」への移動を示し、矢印Ｃは、「９」から「７」への移動を示す。
【００４７】
このように解除パスワードと解除操作パターンとが設定されている場合、実行制御部９５４は、入力されたパスワードが解除パスワード「５２９７」と一致すると判定され、且つ、検出された操作パターンが解除操作パターン（矢印Ａ、Ｂ、Ｃ）と一致すると判定された場合に、所定機能（例えば、メール機能）の実行を許可する。
【００４８】
具体的には、図６に示すように、「５」「２」「９」「７」に対応するキーが押下され、入力部１３により「５２９７」がパスワードとして入力されると共に、「５」に対応するキーから「２」に対応するキーへの移動、及び「２」に対応するキーから「９」に対応するキーへの移動の際には操作面がなぞられるようにして指が移動させられ、「９」に対応するキーから「７」に対応するキーへの移動の際には操作面から離間されて指が移動させられたとき、実行制御部９５４は、所定機能としてのメール機能の実行を許可する。これにより、いわゆるセキュリティ状態が解除され、メール機能を利用可能な状態となる。
【００４９】
実行制御部９５４は、入力されたパスワードが解除パスワードと一致していても、検出された操作パターンが解除操作パターンと一致しない場合には、セキュリティ状態を解除せず、所定機能（例えば、メール機能）の実行を許可しない。
【００５０】
例えば、図６における矢印Ａ又は矢印Ｂにおいてタッチセンサ１４により接触が検出されない場合（操作面をなぞるように指を移動させない場合）や、矢印Ｃにおいてタッチセンサ１４により接触が検出される場合（操作面をなぞるように指を移動させた場合）には、実行制御部９５４は、所定機能の実行を許可しない。
【００５１】
また、実行制御部９５４は、解除操作パターンと検出された操作パターンとにおける経路が異なる場合も当然に所定機能の実行を許可しない。
具体的には、図７に示すように、「２」に対応するキーから「９」に対応するキーへ指を移動する際の経路において、直接「２」→「９」ではなく「２」→「３」→「９」と「３」に対応するキー（の表面）を経由するように指を移動させた場合、実行制御部９５４は、所定機能の実行を許可しない。
【００５２】
ここで、図７に示す操作パターンを解除操作パターンとして登録することもできる。図７に示す操作パターンが解除パターンとして登録された場合、パスワード「５２９７」には存在しない要素である「３」を経由するという特別な要素（動作）が追加されるため、セキュリティ性が向上する。
【００５３】
続いて、図８により、パスワード認証機能を使用した場合における携帯電話１の動作について説明する。
図８は、携帯電話機１におけるパスワード認証機能を説明するフロー図である。
【００５４】
携帯電話機１は、所定の操作により、パスワード認証機能が起動するように設定される。例えば、メール機能を起動させるために入力部１３に所定の入力操作を行うと、パスワード入力を要求する画面が表示部３２に表示され（図５参照）、図８に示すパスワード認証処理が実行される。
【００５５】
先ず、ＣＰＵ９５は、タイマ９８による計時を開始させる（ＳＴ１）。次に、パスワード判定部９５２は、入力操作キー１３２による最初のキー入力があったか否かを判定する（ＳＴ２）。最初のキー入力があった場合には、ＳＴ３に処理を移し、最初のキー入力がない場合にはＳＴ２に処理を移す。
【００５６】
ＳＴ３において、ＣＰＵ９５は、入力部１３における入力されたキーに対応する番号をメモリ９４の所定の記憶領域に記憶する。更に、操作パターン検出部９５１は、後述する操作パターンを認識する処理を行う（ＳＴ４）。そして、パスワード判定部９５２は、パスワードの入力が完了したか否かを判定し（ＳＴ５）、パスワードの入力が完了した場合にはＳＴ６に処理を移し、パスワードの入力が完了しない場合にはＳＴ３に処理を移す。パスワードが例えば４桁の数字である場合には、例えば４桁の数字が入力されて決定操作キー１３３が押下された場合に、パスワードの入力が完了したとしてＳＴ６に処理を移す。
【００５７】
ＳＴ６において、ＣＰＵ９５は、タイマ９８による計時を終了させる。次に、パスワード判定部９５２は、入力されたパスワードがパスワード記憶部９４１に記憶された解除パスワードに一致するか否かを判定する処理を行う（ＳＴ７）。パスワード判定部９５２により、入力されたパスワードが解除パスワードに一致すると判定された場合には、ＳＴ８に処理を移す。パスワード判定部９５２により、入力されたパスワードが解除パスワードに一致しないと判定された場合には、パスワード認証が失敗した旨を表示部３２に表示し（図７参照）、セキュリティ状態を継続する（ＳＴ１１）。
ＳＴ８において、操作パターン判定部９５３は、ＳＴ４において操作パターン検出部９５１により検出された操作パターンと操作パターン記憶部９４２に記憶された解除操作パターンを比較し、一致するか否かを判定する。操作パターン判定部９５３により、検出された操作パターンが解除操作パターンに一致すると判定された場合には（ＳＴ９のＹＥＳ）、実行制御部９５４は、メール機能の起動（実行）を許可する（図６参照、ＳＴ１０）。操作パターン判定部９５３により、検出された操作パターンが解除パターンに一致しないと判定された場合には（ＳＴ９のＮＯ）、パスワード認証が失敗した旨を表示部３２に表示し（図７参照）、セキュリティ状態を継続する（ＳＴ１１）。
尚、パスワード認証が失敗した旨の表示は、パスワード入力の不一致と、操作パターンの不一致とのいずれであるかが分かるような表示内容としてもよい（図７参照）。
【００５８】
図９は、図８の操作パターン認識処理のフロー図である。
まず、操作パターン検出部９５１は、タッチセンサ１４への入力を検出した場合に（ＳＴ２１のＹＥＳ）、タイマ９８の計時時間に関連させて、タッチセンサ１４の操作位置となるＸＹ座標情報をメモリ９４に記憶させる（ＳＴ２２）。そして、操作パターン検出部９５１は、メモリ９４に記憶されたＸＹ座標情報に基づいて操作パターンデータを検出する（ＳＴ２３）。この操作パターンデータによって、使用者の指の動き、例えば、最初の入力から次の入力を行うまでの指の軌跡及び指がタッチセンサ１４を押下した時間等が分かるようになる。尚、タッチセンサ１４への入力が検出されなかった場合には（ＳＴ２１のＮＯ）、ＳＴ２３に処理が移される。
【００５９】
以上説明した第１実施形態の携帯電話機１によれば、携帯電話機１は、以下のような効果を奏する。
（１）入力部１３により入力されたパスワードが解除パスワードと一致すると判定され、且つ、操作パターン検出部９５１により検出された操作パターンが解除操作パターンと一致すると判定された場合に、実行制御部９５４Ａは所定の機能の実行を許可する。これにより、個人認証においてパスワード以外にパスワード以外のパラメータも照合されるため、仮に、パスワードが漏洩して不正にパスワード認証が行われたとしても、パスワード入力だけではセキュリティ状態を解除することが不可能となる。よって、携帯電話機１のセキュリティ機能を向上できる。
【００６０】
（２）携帯電話機１は、パスワードの入力に関連して接触又は近接される指の動きの軌跡を操作パターンとして検出するタッチセンサ１４を有する。これにより、ユーザの指の動きによって個人認証が行えるので、簡易な方法でさらなるセキュリティ強化を図れる。
【００６１】
（３）携帯電話機１は、累積記憶部９４３に累積記憶された操作パターンに基づいて、解除操作パターンを作成するパターン作成部９５５を有する。これにより、携帯電話機１に、使用者のパスワード入力の履歴に応じて新たに解除操作パターン作成するという、いわゆる学習機能を持たせられる。よって、使用者のパスワード入力の際の個性が個人認証に関わるようになり、簡易な方法で有効な解除操作パターンの設定を行える。
【００６２】
＜第２実施形態＞
次に、本発明の第２実施形態について説明する。
図１０は、本発明の第２実施形態である携帯電話機１について、操作部側筐体２と表示部側筐体３とを開いた状態の正面図である。図１１は、第２実施形態である携帯電話機１がパスワード認証機能を発揮するための構成を示す機能ブロック図である。図１２は、第２実施形態である携帯電話機１における操作パターン認識処理のフロー図である。
なお、第１実施形態における構成と同一の構成については、同一の符号を付して、詳細な説明は省略している。以下、主に第１実施形態と相違する構成について説明をする。
ここで、操作パターンが、パスワード入力の際におけるユーザの指の移動パターンではなく、操作パターンが、パスワードが入力される際の時間的なパターンである点で、本実施形態は、第１実施形態と相違する。
【００６３】
図１０及び図１１に示すように、本実施形態における携帯電話機１は、タッチセンサ１４を有さない点で第１実施形態における携帯電話機１と相違する。
【００６４】
図１１に示すように、本実施形態における機能ブロック図は、タッチセンサを有しないほか、第１実施形態における機能ブロック図と同様である。
以下第１実施形態と相違する構成のみ説明する。
【００６５】
操作パターン検出部９５１Ａは、入力部１３によりパスワードが入力される際の時間的な時間パターンを検出する。操作パターン検出部９５１Ａは、入力部１３を構成する各キーからの信号（押圧情報）と、タイマ９８からの時間情報とに基づいて、時間パターンを検出する。
この、時間パターンは、具体的には、例えば各キーにおける押下時間、所定のキーにおける押下状態を解除してから他のキーを押下状態にするまでの時間（間隔）や、これらの組み合わせのことである。
【００６６】
操作パターン判定部９５３Ａは、後述する操作パターン記憶部９４２Ａに記憶される解除操作パターンとしての解除時間パターンと、操作パターン検出部９５１Ａにより検出された時間パターンとを比較し、検出された時間パターンが解除時間パターンと一致するか否かを判定する。
【００６７】
実行制御部９５４Ａは、パスワード判定部９５２Ａにより、入力部１３により入力されたパスワードが解除パスワードと一致すると判定され、且つ、操作パターン判定部９５３Ａにより、操作パターン検出部９５１Ａにより検出された時間パターンが解除時間パターンと一致すると判定された場合に、所定の機能の実行を許可する。
【００６８】
パターン作成部９５５Ａは、後述する累積記憶部９４３Ａに累積記憶された時間パターンに基づいて、解除時間パターンを作成する。
【００６９】
操作パターン記憶部９４２Ａは、解除時間パターンを記憶する。操作パターン記憶部９４２Ａには、入力部１３における所定のキーを押下する押下時間情報や、所定のキーにおける押下状態を解除してから他のキーを押下状態にするまでの間隔時間情報や、押下時間情報と間隔時間情報とを組み合わせた時間情報に基づく解除時間パターンが記憶される。
【００７０】
累積記憶部９４３Ａは、操作パターン検出部９５１Ａにより検出された時間パターンを累積記憶する。累積記憶部９４３Ａには、パスワードの入力操作における時間情報（時間パターン）の履歴が記憶される。
【００７１】
続いて、第２実施形態の携帯電話機１におけるパスワード認証機能について説明する。パスワード認証機能の動作については、図８に示す動作において、ＳＴ４の操作パターン認識処理と、ＳＴ８の操作パターン判定処理における解除操作パターンが異なる以外は、第１実施形態と同一である。このため、第１実施形態と異なる点について以下に説明する。
【００７２】
ＳＴ８における解除操作パターンは、パスワードの初期設定時にパスワードとなる４桁の数字と共に使用者の操作によって設定され、操作パターン記憶部に記憶される。なお、パスワードは工場出荷時にプリセットされていてもよい。第２実施形態においては、解除操作パターンとして、パスワード入力が行われる際の、各キー入力操作の時間に基づいて登録される。具体的には、４桁のパスワード入力の際の各キーの押下時間が所定時間（例えば、１秒）より長いか短いか、及び、入力操作キー１３２の押下を解除してから次の入力操作キー１３２の押下までの時間が所定時間（例えば、１秒）より長いか短いかが個々に設定されることにより、４桁のパスワード入力開始から入力終了までの一連の入力パターンが設定される。
【００７３】
次に、第２実施形態における操作パターン認識処理について、図１２を参照しながら説明する。
先ず、ＣＰＵ９５Ａは、入力操作キー１３２が押下された場合に（ＳＴ３１のＹＥＳ）、タイマ９８の計時時間に関連させて、入力操作キー１３２が押下された時間の情報をメモリ９４に記憶させる（ＳＴ３２）。入力操作キー１３２が押下されなかった場合には、ＳＴ３３に処理を移す。
ＳＴ３３において、操作パターン検出部９５１Ａは、入力操作キー１の押下が解除されたことを検出した場合、言い換えれば、使用者が入力操作キー１３２から指を離した場合に（ＳＴ３３のＹＥＳ）、タイマ９８の計時時間に関連させて、入力操作キー１３２の押下が解除された時間の情報をメモリ９４に記憶させる（ＳＴ３４）。入力操作キー１３２の押下が解除されなかった場合には、ＳＴ３５に処理を移す。
ＳＴ３５において、操作パターン検出部９５１Ａは、各入力操作キー１３２の操作時間データを作成し、メモリ９４に記憶する。この操作時間データによって、４桁のパスワード入力における各入力操作キー１３２の操作が所定時間以上の長押しであったか、所定時間より短い短押しであったか、更に、前のキー入力から次のキー入力までの時間が例えば１秒以上であったか否かなどが分かるようになる。
【００７４】
次に、第２実施形態の携帯電話機１における（解除）パスワードや（解除）操作パターンの具体例について説明する。ここで、一例として、「５２９７」というパスワードが入力される場合について説明する。第２実施形態においてセキュリティ状態が解除される為には、「５２９７」というパスワードが正確に押されると共に、入力操作キー１３２の打鍵のスピード（時間）というパラメータが一致しなければならない。具体的には、例えば「１つのキーを押す時間」、「１つのキーから指を離してから次のキーを押すまでの時間」などがある。また、操作パターン記憶部９４２Ａには、１秒以上、１秒未満という２つのパラメータが予め記億される。
【００７５】
仮に、パスワード入力のために入力操作キー１３２を「５２９７」と押す過程における、「１つのキーを押す時間」、「１つのキーを離してから２つ目の他のキーを押すまでの時間」を、ユーザが予め下記のように設定したとする。
「５」の押し時間：１秒以上
「５」から「２」への移動時間：１秒以上
「２」の押し時間：１秒未満
「２」から「９」への移動時間：１秒未満
「９」の押し時間：１秒以上
「９」から「７」への移動時間：１秒以上
「７」の押し時間：１秒未満
この場合における操作（時間）パターンは、まず「５」が押され、１秒以上経過した後に「５」が離され、１秒以上経過した後に「２」が押され、１秒経過する前に「２」が離され、１秒経過する前に「９」が押され、１秒経過した後に「９」が離され、１秒経過した後に「７」が押され、１秒経過する前に「７」が離される、というパターンになる。このため、操作パターン検出部９５１Ａによって検出された操作（時間）パターンが、この条件を満たさなければ、セキュリティ解除できない。例えば、パスワードである「５２９７」の入力操作が正確に行われたとしても、「２」の押し時間が１秒以上であれば、セキュリティ解除には至らない。このように、パスワードだけでなく、キーを押す時間もパラメータに入れることによって、さらなるセキュリティ効果を高めることが可能になる。
【００７６】
尚、第２実施形態においては、例として、１秒以上、１秒未満という分け方で説明したが、この時間設定を使用者が任意に設定できるようにし、更に細かく設定すれば、さらなるセキュリティの強化に繋がる。
【００７７】
第２実施形態の携帯電話機１によれば、上述の（１）及び（３）の効果の他に、以下のような効果を奏する。
【００７８】
（４）パスワードの入力が行われる場合におけるキー入力のタイミングを、携帯電話機１は、操作パターンとして検出する。これにより、キー入力のタイミングに基いた個人認証が行われるので、簡易な方法でさらなるセキュリティ強化を図れる。
【００７９】
尚、本発明は上述した各実施形態に制限されるものではなく、本発明の目的を達成できる範囲での変形、改良等は本発明に含まれるものである。
例えば、第１実施形態においては、静電容量方式のタッチセンサ１４が用いられたものの、実施形態はこれに限らない。即ち、指がなぞる軌跡を検出できるものであれば、他のセンサが用いられてもよい、例えば、光学センサが、互いに隣接する入力操作キー１３２の間に配置されてもよい。
【００８０】
また、第１実施形態に第２実施形態が組み合わせられてもよい。
また、第１実施形態では、入力部１３を構成する全てのキーの周囲をカバーするように、タッチセンサ１４を設けた。よって、解除操作パターンとして入力操作キー１３２の近傍以外の領域をなぞるといったパターンを設定してもよい。
【００８１】
また、第１実施形態及び第２実施形態では、電子機器の一例として、重ね合せ方向に沿う回転軸４１を中心に一方の筐体を回転させるようにした回転式の携帯電話機１を挙げているが、これに限らない。即ち、操作部側筐体と表示部側筐体とを重ね合わせた状態から一方の筐体を一方向にスライドさせるようにしたスライドタイプや、連結部を介して操作部側筐体と表示部側筐体とを相対的に動かせるいわゆる折り畳みタイプや、操作部側筐体と表示部側筐体とを２軸ヒンジを介して連結した２軸タイプ、更には、操作部側筐体と表示部側筐体とが１つの筐体に配置されたストレートタイプであってもよい。
【００８２】
また、第１実施形態及び第２実施形態では、本発明を電子機器としての携帯電話機１に適用したが、これに限らない。即ち、本発明は、情報携帯端末（ＰＤＡ）、ノートパソコン、デジタルカメラ、小型オーディオプレーヤー等の他の電子機器に適用されてもよい。
【図面の簡単な説明】
【００８３】
【図１】本発明の第１実施形態に係る携帯電話機の開状態の外観を示す正面図である。
【図２】第１実施形態の携帯電話機の閉状態の外観を示す正面図である。
【図３】第１実施形態の携帯電話機の機能を示すブロック図である。
【図４】第１実施形態の携帯電話機のパスワード認証機能を発揮するための構成を示すブロック図である。
【図５】第１実施形態の携帯電話機における解除操作パターン（指の動き）を説明する図である。
【図６】操作パターン検出部により検出された操作パターンが解除操作パターンと一致する場合における携帯電話機の動作を説明する図である。
【図７】操作パターン検知部により検出された操作パターンが解除操作パターンと一致しない場合における携帯電話機の動作を説明する図である。
【図８】第１実施形態の携帯電話機のパスワード認証処理を示すフロー図である。
【図９】第１実施形態の携帯電話機の操作パターン認識処理を示すフロー図である。
【図１０】本発明の第２実施形態に係る携帯電話機の外観を示す正面図である。
【図１１】第２実施形態の携帯電話機のパスワード認証機能を発揮するための構成を示すブロック図である。
【図１２】第２実施形態の携帯電話機の操作パターン認識処理を示すフロー図である。
【符号の説明】
【００８４】
１  携帯電話機（電子機器）
２  操作部側筐体（筐体）
３  表示部側筐体
１１  操作部
１３  入力部
１４  タッチセンサ（センサ部）
９４  メモリ
９５  ＣＰＵ
９４１  パスワード記憶部
９４２  操作パターン記憶部
９４３  累積記憶部
９５１  操作パターン検出部
９５２  パスワード判定部
９５３  操作パターン判定部
９５４  実行制御部
９５５  パターン作成部
【図１】
2010152758.tif 000003
【図２】
2010152758.tif 000004
【図３】
2010152758.tif 000005
【図４】
2010152758.tif 000006
【図５】
2010152758.tif 000007
【図６】
2010152758.tif 000008
【図７】
2010152758.tif 000009
【図８】
2010152758.tif 000010
【図９】
2010152758.tif 000011
【図１０】
2010152758.tif 000012
【図１１】
2010152758.tif 000013
【図１２】
2010152758.tif 000014